(57)【要約】【課題】電子機器ユニットを確実に固定することができ、一度に各種複数の電子機器ユニットを保持することができる電子機器ユニット固定スタンドを提供する。【解決手段】電子機器ユニット固定スタンド１０Ａでは、横方向へ隣接する支持プレート１５の間に電子機器ユニット１１を配置し、それら支持プレート１５を横方向へスライドさせてそれら支持プレート１５で電子機器ユニット１１の両側面を挟み込み、電子機器ユニット１１を挟み込んだそれら支持プレート１５を第１固定手段１６を介してベースプレート１２に固定しつつ、結束バンド１９を電子機器ユニット１１の頂部７７を跨がせた状態で一方の支持プレート１５から他方の支持プレート１５に向かって架け渡し、それら支持プレート１５と結束バンド１９とを利用して電子機器ユニット１１をベースプレート１２に固定する。【選択図】図１０
2018098418.tif 000002
【特許請求の範囲】
【請求項１】
各種複数の電子機器ユニットを着脱可能に固定する電子機器ユニット固定スタンドにおいて、
前記電子機器ユニット固定スタンドが、所定面積のベースプレートと、前記ベースプレートの上面に位置して該ベースプレートの横方向へ並ぶとともに該ベースプレートの横方向へスライド可能な複数の支持プレートと、それら支持プレートを前記ベースプレートの所定の位置にスライド不能に固定する第１固定手段と、横方向へ隣接する一方の支持プレートから他方の支持プレートに向かって架け渡される一方向へ細長い少なくとも１本の第２固定手段とから形成され、
前記電子機器ユニット固定スタンドでは、横方向へ隣接する支持プレートの間に前記電子機器ユニットを配置し、それら支持プレートを横方向へスライドさせてそれら支持プレートで該電子機器ユニットの両側面を挟み込み、前記電子機器ユニットを挟み込んだそれら支持プレートを前記第１固定手段を介して前記ベースプレートに固定しつつ、前記第２固定手段を前記電子機器ユニットの頂部を跨がせた状態で一方の支持プレートから他方の支持プレートに向かって架け渡し、それら支持プレートと前記第２固定手段とを利用して前記電子機器ユニットを前記ベースプレートに固定することを特徴とする電子機器ユニット固定スタンド。
【請求項２】
前記ベースプレートが、その前端部に穿孔されて横方向へ延びる第１案内開口と、前記第１案内開口から後方へ所定寸法離間した位置に穿孔されて横方向へ延びる第２案内開口とを有し、それら支持プレートが、前記第１案内開口に配置されて横方向へスライド可能な前端部と、前記第２案内開口に配置されて横方向へスライド可能な後端部と、前記前後端部の間に延びていて横方向へスライド可能な中間部と、前記前後端部と前記中間部とのうちの少なくとも該後端部と該中間部とに位置して上下方向へ延びていて横方向へスライド可能な支持部とを有し、前記第２固定手段が、一方の支持プレートの支持部と他方の支持プレートの支持部とに架け渡される請求項１に記載の電子機器ユニット固定スタンド。
【請求項３】
前記第２固定手段が、一方向へ細長いストラップと前記ストラップの一端部に位置するストラップロックとを有する結束バンド、または、一方向へ細長いストラップと前記ストラップの一端部に位置するストラップロックおよび固定マウントとを有する結束バンドであり、それら支持プレートの支持部が、前記結束バンドのストラップを連結する連結箇所と、前記結束バンドの固定マウントをリリース可能またはリリース不能に設置する設置箇所とのうちの少なくとも該連結箇所を有する請求項２に記載の電子機器ユニット固定スタンド。
【請求項４】
前記電子機器ユニット固定スタンドが、前記ベースプレートの上面であってそれら支持プレートの後方に位置し、前記ベースプレートの横方向へ並ぶとともに該ベースプレートの前後方向へスライド可能な複数の支持スライダーと、それら支持スライダーを前記ベースプレートの所定の位置にスライド不能に固定する第３固定手段とを含み、前記電子機器ユニット固定スタンドでは、前記支持スライダーを前記電子機器ユニットに向かって前後方向へスライドさせて該支持スライダーを該電子機器ユニットの端部に当接させ、前記電子機器ユニットの端部に当接した前記支持スライダーを前記第３固定手段を介して前記ベースプレートに固定する請求項１ないし請求項３いずれかに記載の電子機器ユニット固定スタンド。
【請求項５】
前記ベースプレートが、前記第２案内開口から後方へ所定寸法離間した位置に穿孔されて前後方向へ延びていて横方向へ所定寸法離間して並ぶ複数の第３案内開口を有し、それら支持スライダーが、前記ベースプレートの上面に摺動可能に当接する水平摺動部と、上下方向へ延びていて前記電子機器ユニットの端部に当接する垂直当接部とを有して前記第３案内開口にスライド可能に配置されている請求項４に記載の電子機器ユニット固定スタンド。
【請求項６】
前記第１固定手段が、前記第１案内開口に位置する前記支持プレートの前端部に形成され、前記第１案内開口近傍に延びる前記ベースプレートを挟み込んだ状態で前記支持プレートの前端部を該ベースプレートに固定し、前記第３固定手段が、前記第３案内開口に位置する前記支持スライダーに形成され、前記第３案内開口近傍に延びる前記ベースプレートを挟み込んだ状態で前記支持スライダーを該ベースプレートに固定する請求項５に記載の電子機器ユニット固定スタンド。
【請求項７】
前記ベースプレートが、前記第１案内開口と前記第２案内開口との間に穿孔された複数の第１通気開口と、それら第３案内開口の間に穿孔された複数の第２通気開口とを有する請求項５または請求項６に記載の電子機器ユニット固定スタンド。
【請求項８】
前記電子機器ユニット固定スタンドが、前記ベースプレートの両側縁に位置して上下方向へ延びていて該電子機器ユニット固定スタンドをインターネットデータセンターに据え付けられた電子機器収容専用ラックに着脱可能に取り付ける取付プレートを含む請求項１ないし請求項７いずれかに記載の電子機器ユニット固定スタンド。
【請求項９】
前記電子機器ユニット固定スタンドが、前記取付プレートに隣接する支持プレートと該取付プレートとの間に介在させ、前記取付プレートに隣接する支持プレートと該取付プレートとの間に配置された電子機器ユニットを横方向へ付勢する伸縮弾性スペーサを含み、前記取付プレートが、前記結束バンドのストラップを連結する連結箇所と、前記結束バンドの固定マウントをリリース可能またはリリース不能に設置する設置箇所とのうちの少なくとも該連結箇所を有する請求項８に記載の電子機器ユニット固定スタンド。
【請求項１０】
前記電子機器ユニット固定スタンドが、前記第１案内開口に位置して横方向へ延びていてそれら支持プレートの前端部に連結された第１伸縮弾性部材と、前記第２案内開口に位置して横方向へ延びていてそれら支持プレートの後端部に連結された第２伸縮弾性部材とを含み、前記電子機器ユニット固定スタンドでは、前記第１および第２伸縮弾性部材によってそれら支持プレートが横方向へ付勢され、前記電子機器ユニットの両側に位置するそれら支持プレートが前記第１および第２伸縮弾性部材の付勢力によって該電子機器ユニットを押圧状態で挟み込む請求項２ないし請求項９いずれかに記載の電子機器ユニット固定スタンド。
【請求項１１】
前記電子機器ユニット固定スタンドが、前記第２案内開口近傍に延びる前記第３案内開口に位置して前後方向へ延びていてそれら支持スライダーに連結された第３伸縮弾性部材を含み、前記電子機器ユニット固定スタンドでは、前記第３伸縮弾性部材によってそれら支持スライダーが前記第２案内開口に向かって前方へ付勢され、それら支持スライダーが前記第３伸縮弾性部材の付勢力によって前記電子機器ユニットの端部に押圧状態で当接する請求項１０に記載の電子機器ユニット固定スタンド。
【発明の詳細な説明】
【技術分野】
【０００１】
本発明は、各種複数の電子機器ユニットを着脱可能に固定する電子機器ユニット固定スタンドに関する。
【背景技術】
【０００２】
電子機器ユニットの底面に取り付けられた雄または雌の噛み合わせファスナーと、電子機器ユニットを搭載する棚板の所定箇所に取り付けられた雄または雌の噛み合わせファスナーと、電子機器ユニットの底面に取り付けられた雄または雌の噛み合わせファスナーと棚板の所定箇所に取り付けられた雄または雌の噛み合わせファスナーとの間に設置された可動可能な回転体とを備え、電子機器ユニットの底面に取り付けられた雄または雌の噛み合わせファスナーおよび棚板の所定箇所に取り付けられた雄または雌の噛み合わせファスナーと相互に嵌合する雄または雌の噛み合わせファスナーが回転体の全周または部分的に取り付けられた電子機器ユニット固定装置が開示されている（特許文献１参照）。
【先行技術文献】
【特許文献】
【０００３】
【特許文献１】特開２００２−２１７５７３号公報
【発明の概要】
【発明が解決しようとする課題】
【０００４】
前記特許文献１に開示の電子機器ユニット固定装置は、雄ファスナーまたは雌ファスナーのメカニカルファスナーを利用して電子機器ユニットを棚板に設置・固定するが、雄ファスナーと雌ファスナーとの係合が解除され易く、電子機器ユニットが棚板に確実に固定される保証はなく、棚板に対する電子機器ユニットの固定が不用意に解除される場合がある。また、電子機器ユニットを上下方向へ起立させた状態で棚板に設置すると、電子機器ユニットの安定性が低下するとともに、雄ファスナーと雌ファスナーとの係合力が弱いと、起立する電子機器ユニットの棚板に対する固定が解除される場合があるから、この電子機器ユニット固定装置では、電子機器ユニットを横臥させた状態で棚板に設置せざるを得ない。したがって、電子機器ユニットが場所を取り、一度に複数の電子機器ユニットを棚板に保持させることができない。
【０００５】
なお、インターネットデータセンターに据え付けられた電子機器収容専用ラックには、サーバやルーター等の複数のラックマウント型の電子機器ユニットが平積みされた状態で設置される場合があるが、自己発熱する電子機器ユニットの熱を効率よく逃がすことができず、それら電子機器ユニットを十分に冷却することができない場合があり、それら電子機器ユニットの故障の原因になる場合がある。
【０００６】
本発明の目的は、電子機器ユニットを確実に固定することができ、電子機器ユニットの固定が不用意に解除されることはなく、一度に各種複数の電子機器ユニットを保持することができる電子機器ユニット固定スタンドを提供することにある。本発明の他の目的は、電子機器ユニットの熱を効率よく逃がすことができ、インターネットデータセンターの電子機器収容専用ラックに取り付けられた場合、電子機器ユニットを十分に冷却することができる電子機器ユニット固定スタンドを提供することにある。
【課題を解決するための手段】
【０００７】
前記課題を解決するための本発明の前提は、各種複数の電子機器ユニットを着脱可能に固定する電子機器ユニット固定スタンドである。
【０００８】
前記前提における本発明の特徴は、電子機器ユニット固定スタンドが、所定面積のベースプレートと、ベースプレートの上面に位置してベースプレートの横方向へ並ぶとともにベースプレートの横方向へスライド可能な複数の支持プレートと、それら支持プレートをベースプレートの所定の位置にスライド不能に固定する第１固定手段と、横方向へ隣接する一方の支持プレートから他方の支持プレートに向かって架け渡される一方向へ細長い少なくとも１本の第２固定手段とから形成され、電子機器ユニット固定スタンドでは、横方向へ隣接する支持プレートの間に電子機器ユニットを配置し、それら支持プレートを横方向へスライドさせてそれら支持プレートで電子機器ユニットの両側面を挟み込み、電子機器ユニットを挟み込んだそれら支持プレートを第１固定手段を介してベースプレートに固定しつつ、第２固定手段を電子機器ユニットの頂部を跨がせた状態で一方の支持プレートから他方の支持プレートに向かって架け渡し、それら支持プレートと第２固定手段とを利用して電子機器ユニットをベースプレートに固定することにある。
【０００９】
本発明の一例としては、ベースプレートが、その前端部に穿孔されて横方向へ延びる第１案内開口と、第１案内開口から後方へ所定寸法離間した位置に穿孔されて横方向へ延びる第２案内開口とを有し、それら支持プレートが、第１案内開口に配置されて横方向へスライド可能な前端部と、第２案内開口に配置されて横方向へスライド可能な後端部と、前後端部の間に延びていて横方向へスライド可能な中間部と、前後端部と中間部とのうちの少なくとも後端部と中間部とに位置して上下方向へ延びていて横方向へスライド可能な支持部とを有し、第２固定手段が、一方の支持プレートの支持部と他方の支持プレートの支持部とに架け渡される。
【００１０】
本発明の他の一例としては、第２固定手段が、一方向へ細長いストラップとストラップの一端部に位置するストラップロックとを有する結束バンド、または、一方向へ細長いストラップとストラップの一端部に位置するストラップロックおよび固定マウントとを有する結束バンドであり、それら支持プレートの支持部が、結束バンドのストラップを連結する連結箇所と、結束バンドの固定マウントをリリース可能またはリリース不能に設置する設置箇所とのうちの少なくとも連結箇所を有する。
【００１１】
本発明の他の一例としては、電子機器ユニット固定スタンドが、ベースプレートの上面であってそれら支持プレートの後方に位置し、ベースプレートの横方向へ並ぶとともにベースプレートの前後方向へスライド可能な複数の支持スライダーと、それら支持スライダーをベースプレートの所定の位置にスライド不能に固定する第３固定手段とを含み、電子機器ユニット固定スタンドでは、支持スライダーを電子機器ユニットに向かって前後方向へスライドさせて支持スライダーを電子機器ユニットの端部に当接させ、電子機器ユニットの端部に当接した支持スライダーを第３固定手段を介してベースプレートに固定する。
【００１２】
本発明の他の一例としては、ベースプレートが、第２案内開口から後方へ所定寸法離間した位置に穿孔されて前後方向へ延びていて横方向へ所定寸法離間して並ぶ複数の第３案内開口を有し、それら支持スライダーが、ベースプレートの上面に摺動可能に当接する水平摺動部と、上下方向へ延びていて電子機器ユニットの端部に当接する垂直当接部とを有して第３案内開口にスライド可能に配置されている。
【００１３】
本発明の他の一例としては、第１固定手段が、第１案内開口に位置する支持プレートの前端部に形成され、第１案内開口近傍に延びるベースプレートを挟み込んだ状態で支持プレートの前端部を該ベースプレートに固定し、第３固定手段が、第３案内開口に位置する支持スライダーに形成され、第３案内開口近傍に延びるベースプレートを挟み込んだ状態で支持スライダーをベースプレートに固定する。
【００１４】
本発明の他の一例としては、ベースプレートが、第１案内開口と第２案内開口との間に穿孔された複数の第１通気開口と、それら第３案内開口の間に穿孔された複数の第２通気開口とを有する。
【００１５】
本発明の他の一例としては、電子機器ユニット固定スタンドが、ベースプレートの両側縁に位置して上下方向へ延びていて電子機器ユニット固定スタンドをインターネットデータセンターに据え付けられた電子機器収容専用ラックに着脱可能に取り付ける取付プレートを含む。
【００１６】
本発明の他の一例としては、電子機器ユニット固定スタンドが、取付プレートに隣接する支持プレートと取付プレートとの間に介在させ、取付プレートに隣接する支持プレートと取付プレートとの間に配置された電子機器ユニットを横方向へ付勢する伸縮弾性スペーサを含み、取付プレートが、結束バンドのストラップを連結する連結箇所と、結束バンドの固定マウントをリリース可能またはリリース不能に設置する設置箇所とのうちの少なくとも連結箇所を有する。
【００１７】
本発明の他の一例としては、電子機器ユニット固定スタンドが、第１案内開口に位置して横方向へ延びていてそれら支持プレートの前端部に連結された第１伸縮弾性部材と、第２案内開口に位置して横方向へ延びていてそれら支持プレートの後端部に連結された第２伸縮弾性部材とを含み、電子機器ユニット固定スタンドでは、第１および第２伸縮弾性部材によってそれら支持プレートが横方向へ付勢され、電子機器ユニットの両側に位置するそれら支持プレートが第１および第２伸縮弾性部材の付勢力によって電子機器ユニットを押圧状態で挟み込む。
【００１８】
本発明の他の一例としては、電子機器ユニット固定スタンドが、第２案内開口近傍に延びる第３案内開口に位置して前後方向へ延びていてそれら支持スライダーに連結された第３伸縮弾性部材を含み、電子機器ユニット固定スタンドでは、第３伸縮弾性部材によってそれら支持スライダーが第２案内開口に向かって前方へ付勢され、それら支持スライダーが第３伸縮弾性部材の付勢力によって電子機器ユニットの端部に押圧状態で当接する。
【発明の効果】
【００１９】
本発明に係る電子機器ユニット固定スタンドによれば、それら支持プレートの間にサーバやルーター、RAIDストレイジ、ファイアウォール専用機等の電子機器ユニットを配置しつつそれら支持プレートを横方向へスライドさせてそれら支持プレートで電子機器ユニットの両側面を挟み込み、電子機器ユニットを挟み込んだそれら支持プレートを第１固定手段を介してベースプレートに固定するとともに、一方向へ細長い第２固定手段を電子機器ユニットの頂部を跨がせた状態で一方の支持プレートから他方の支持プレートに向かって架け渡し、それら支持プレートと第２固定手段とを利用して電子機器ユニットをベースプレートに固定するから、電子機器ユニットの両側面が支持プレートに支持され、電子機器ユニットが第２固定手段に拘束され、ベースプレートに対する電子機器ユニットの固定が不用意に解除されることはなく、それら支持プレートおよび第２固定手段を利用して電子機器ユニットをベースプレートに確実に固定することができ、一度に複数の電子機器ユニットを保持することができる。電子機器ユニット固定スタンドは、それら支持プレートがベースプレートの横方向へスライド可能であるから、ベースプレートに固定する電子機器ユニットの横方向の長さ寸法にあわせてそれら支持プレートを電子機器ユニットの両側に配置することができるとともに、第２固定手段の長さを電子機器ユニットの上下方向の長さ寸法にあわせて調節しつつ第２固定手段によって電子機器ユニットを拘束することができ、支持プレートおよび第２固定手段を利用して各種複数の大きさが異なる電子機器ユニットをベースプレートに確実に固定することができる。
【００２０】
ベースプレートが、その前端部に穿孔されて横方向へ延びる第１案内開口と、第１案内開口から後方へ所定寸法離間した位置に穿孔されて横方向へ延びる第２案内開口とを有し、それら支持プレートが、第１案内開口に配置されて横方向へスライド可能な前端部と、第２案内開口に配置されて横方向へスライド可能な後端部と、前後端部の間に延びていて横方向へスライド可能な中間部と、前後端部と中間部とのうちの少なくとも後端部と中間部とに位置して上下方向へ延びていて横方向へスライド可能な支持部とを有し、第２固定手段が一方の支持プレートの支持部と他方の支持プレートの支持部とに架け渡される電子機器ユニット固定スタンドは、それら支持プレートの前後端部がベースプレートの第１および第２案内開口に横方向へスライド可能に配置されているから、それら支持プレートを横方向へスライドさせてそれら支持プレートの支持部で電子機器ユニットの両側面を挟み込み、それら支持プレートを第１固定手段を介してベースプレートに固定するとともに、一方向へ細長い第２固定手段を電子機器ユニットの頂部を跨がせた状態で一方の支持プレートの支持部から他方の支持プレートの支持部に向かって架け渡し、それら支持プレートと第２固定手段とを利用して電子機器ユニットをベースプレートに固定することで、電子機器ユニットの両側面が支持プレートに支持され、電子機器ユニットが第２固定手段に拘束され、ベースプレートに対する電子機器ユニットの固定が不用意に解除されることはなく、それら支持プレートおよび第２固定手段を利用して電子機器ユニットをベースプレートに確実に固定することができ、一度に複数の電子機器ユニットを保持することができる。電子機器ユニット固定スタンドは、それら支持プレートの前後端部がベースプレートの第１および第２案内開口において横方向へスライド可能であるから、ベースプレートに固定する電子機器ユニットの横方向の長さ寸法にあわせてそれら支持プレートを電子機器ユニットの両側に配置することができるとともに、第２固定手段の長さを電子機器ユニットの上下方向の長さ寸法にあわせて調節しつつ第２固定手段によって電子機器ユニットを拘束することができ、支持プレートおよび第２固定手段を利用して各種複数の大きさが異なる電子機器ユニットをベースプレートに確実に固定することができる。
【００２１】
第２固定手段が、一方向へ細長いストラップとストラップの一端部に位置するストラップロックとを有する結束バンド、または、一方向へ細長いストラップとストラップの一端部に位置するストラップロックおよび固定マウントとを有する結束バンドであり、それら支持プレートの支持部が、結束バンドのストラップを連結する連結箇所と、結束バンドの固定マウントをリリース可能またはリリース不能に設置する設置箇所とのうちの少なくとも連結箇所を有する電子機器ユニット固定スタンドは、結束バンドを電子機器ユニットの頂部を跨がせた状態で一方の支持プレートの支持部の連結箇所から他方の支持プレートの支持部の連結箇所に向かって架け渡した後、結束バンドのストラップをストラップロックに固定することで、それら支持プレートと結束バンドとを利用して電子機器ユニットをベースプレートに固定するから、電子機器ユニットの両側面が支持プレートに支持され、電子機器ユニットが結束バンドに拘束され、ベースプレートに対する電子機器ユニットの固定が不用意に解除されることはなく、それら支持プレートおよび第２固定手段を利用して電子機器ユニットをベースプレートに確実に固定することができる。電子機器ユニット固定スタンドは、結束バンドの固定マウントをリリース可能またはリリース不能に設置する設置箇所がそれら支持プレートの支持部に形成され、設置箇所に結束バンドの固定マウントを設置することで、結束バンドの一端部をそれら支持プレートの支持部に取り付けることができ、支持プレートの支持部に取り付けられた結束バンドを利用して電子機器ユニットをベースプレートに確実に固定することができる。
【００２２】
ベースプレートの上面であってそれら支持プレートの後方に位置し、ベースプレートの横方向へ並ぶとともにベースプレートの前後方向へスライド可能な複数の支持スライダーと、それら支持スライダーをベースプレートの所定の位置にスライド不能に固定する第３固定手段とを含み、支持スライダーを電子機器ユニットに向かって前後方向へスライドさせて支持スライダーを電子機器ユニットの端部に当接させ、電子機器ユニットの端部に当接した支持スライダーを第３固定手段を介してベースプレートに固定する電子機器ユニット固定スタンドは、支持スライダーを電子機器ユニットに向かって前後方向へスライドさせて支持スライダーを電子機器ユニットの端部に当接させ、電子機器ユニットの端部に当接した支持スライダーを第３固定手段を介してベースプレートに固定するから、電子機器ユニットの両側面が支持プレートに支持され、電子機器ユニットの端部が支持スライダーに支持されるとともに、電子機器ユニットが第２固定手段（結束バンド）に拘束され、ベースプレートに対する電子機器ユニットの固定が不用意に解除されることがなく、電子機器ユニットをベースプレートに確実に固定することができ、一度に複数の電子機器ユニットを保持することができる。電子機器ユニット固定スタンドは、それら支持プレートがベースプレートの横方向へスライド可能であり、それら支持スライダーがベースプレートの前後方向へスライド可能であるから、ベースプレートに固定する電子機器ユニットの横方向の長さ寸法にあわせてそれら支持プレートを電子機器ユニットの両側に配置することができ、電子機器ユニットの前後方向の長さ寸法にあわせて支持スライダーを電子機器ユニットの端部に当接させることができるとともに、一方向へ細長い第２固定手段の長さを電子機器ユニットの上下方向の長さ寸法にあわせて調節しつつ第２固定手段（結束バンド）によって電子機器ユニットを拘束することができ、支持プレートや支持スライダー、第２固定手段を利用して各種複数の大きさが異なる電子機器ユニットをベースプレートに確実に固定することができる。
【００２３】
ベースプレートが第２案内開口から後方へ所定寸法離間した位置に穿孔されて前後方向へ延びていて横方向へ所定寸法離間して並ぶ複数の第３案内開口を有し、それら支持スライダーが、ベースプレートの上面に摺動可能に当接する水平摺動部と、上下方向へ延びていて電子機器ユニットの端部に当接する垂直当接部とを有して第３案内開口にスライド可能に配置されている電子機器ユニット固定スタンドは、それら支持スライダーが第３案内開口にスライド可能に配置されているから、支持スライダーを電子機器ユニットに向かって前後方向へスライドさせて支持スライダーの垂直当接部を電子機器ユニットの端部に当接させ、支持スライダーを第２固定手段を介してベースプレートに固定することで、支持プレートや支持スライダー、第２固定手段を利用して電子機器ユニットをベースプレートに確実に固定することができ、一度に複数の電子機器ユニットを保持することができる。電子機器ユニット固定スタンドは、それら支持スライダーがベースプレートの第３案内開口において前後方向へスライド可能であるから、電子機器ユニットの前後方向の長さ寸法にあわせて支持スライダーを電子機器ユニットの端部に当接させることができ、支持プレートや支持スライダー、第２固定手段を利用して各種複数の大きさが異なる電子機器ユニットをベースプレートに確実に固定することができる。
【００２４】
第１固定手段が、第１案内開口に位置する支持プレートの前端部に形成され、第１案内開口近傍に延びるベースプレートを挟み込んだ状態で支持プレートの前端部をベースプレートに固定し、第３固定手段が、第３案内開口に位置する支持スライダーに形成され、第３案内開口近傍に延びるベースプレートを挟み込んだ状態で支持スライダーをベースプレートに固定する電子機器ユニット固定スタンドは、それら支持プレートを横方向へスライドさせてそれら支持プレートで電子機器ユニットの両側面を挟み込み、第１固定手段によって第１案内開口近傍に延びるベースプレートを挟み込んだ状態で支持プレートの前端部をベースプレートに固定するとともに、支持スライダーを電子機器ユニットに向かって前後方向へスライドさせて支持スライダーを電子機器ユニットの端部に当接させ、第２固定手段によって第３案内開口近傍に延びるベースプレートを挟み込んだ状態で支持スライダーをベースプレートに固定することで、支持プレートや支持スライダー、第２固定手段を利用して電子機器ユニットをベースプレートに確実に固定することができる。
【００２５】
ベースプレートが、第１案内開口と第２案内開口との間に穿孔された複数の第１通気開口と、それら第３案内開口の間に穿孔された複数の第２通気開口とを有する電子機器ユニット固定スタンドは、ベースプレートに穿孔された複数の第１通気開口と複数の第２通気開口とを空気が通流するから、自己発熱する電子機器ユニットの熱を効率よく逃がすことができ、熱による電子機器ユニットの故障を防ぐことができる。電子機器ユニット固定スタンドは、それがインターネットデータセンターに据え付けられた電子機器収容専用ラックに取り付けられた場合、データセンターの空調機から給気された冷気を第１通気開口や第２通気開口に通流させることができ、冷気によって電子機器ユニットを確実に冷却することができる。
【００２６】
電子機器ユニット固定スタンドがベースプレートの両側縁に位置して上下方向へ延びていて電子機器ユニット固定スタンドをインターネットデータセンターに据え付けられた電子機器収容専用ラックに着脱可能に取り付ける取付プレートを含む電子機器ユニット固定スタンドは、取付プレートを利用して電子機器ユニット固定スタンドを電子機器収容専用ラックに取り付けることで、電子機器ユニット固定スタンドをインターネットデータセンターにおいて利用することができる。電子機器ユニット固定スタンドは、複数の電子機器ユニットが横方向へ並んだ状態でベースプレートの上面に設置・固定されるから、電子機器ユニットが上下方向へ平積みされることはなく、自己発熱する電子機器ユニットの熱を効率よく逃がすことができ、データセンターの空調機から給気された冷気によってそれら電子機器ユニットを十分に冷却することができる。
【００２７】
取付プレートに隣接する支持プレートと取付プレートとの間に介在させ、取付プレートに隣接する支持プレートと取付プレートとの間に配置された電子機器ユニットを横方向へ付勢する伸縮弾性スペーサを含み、取付プレートが、結束バンドのストラップを連結する連結箇所と、結束バンドの固定マウントをリリース可能またはリリース不能に設置する設置箇所とのうちの少なくとも連結箇所を有する電子機器ユニット固定スタンドは、取付プレートに隣接する支持プレートと取付プレートとの間に電子機器ユニットを配置したとしても、伸縮弾性スペーサによって電子機器ユニットが横方向へ付勢されるから、電子機器ユニットの側面を取付プレートに隣接する支持プレートに押し当てることができ、支持プレートや第２固定手段、伸縮弾性スペーサを利用して支持プレートと取付プレートとの間に配置された電子機器ユニットをベースプレートに確実に固定することができる。
【００２８】
第１案内開口に位置して横方向へ延びていてそれら支持プレートの前端部に連結された第１伸縮弾性部材と、第２案内開口に位置して横方向へ延びていてそれら支持プレートの後端部に連結された第２伸縮弾性部材とを含み、第１および第２伸縮弾性部材によってそれら支持プレートが横方向へ付勢され、電子機器ユニットの両側に位置するそれら支持プレートが第１および第２伸縮弾性部材の付勢力によって電子機器ユニットを押圧状態で挟み込む電子機器ユニット固定スタンドは、第１および第２伸縮弾性部材の付勢力によってそれら支持プレートが電子機器ユニットを押圧状態で挟み込むから、それら支持プレートを電子機器ユニットの両側面に密着させることができ、その状態でそれら支持プレートを第１固定手段を介してベースプレートに固定することができ、電子機器ユニットと支持プレートとの間に隙間が生ずることがなく、支持プレートを利用して電子機器ユニットをベースプレートに確実に固定することができる。
【００２９】
第２案内開口近傍に延びる第３案内開口に位置して前後方向へ延びていてそれら支持スライダーに連結された第３伸縮弾性部材を含み、第３伸縮弾性部材によってそれら支持スライダーが第２案内開口に向かって前方へ付勢され、それら支持スライダーが第３伸縮弾性部材の付勢力によって電子機器ユニットの端部に押圧状態で当接する電子機器ユニット固定スタンドは、第３伸縮弾性部材の付勢力によってそれら支持スライダーが電子機器ユニットの端部に押圧状態で当接するから、それら支持スライダーを電子機器ユニットの端部に密着させることができ、その状態でそれら支持スライダーを第３固定手段を介してベースプレートに固定することができ、電子機器ユニットと支持スライダーとの間に隙間が生ずることがなく、支持スライダーを利用して電子機器ユニットをベースプレートに確実に固定することができる。
【図面の簡単な説明】
【００３０】
【図１】一例として示す電子機器ユニット固定スタンドの斜視図。
【図２】ベースプレートの平面図。
【図３】電子機器ユニット固定スタンドの上面図。
【図４】電子機器ユニット固定スタンドの正面図。
【図５】電子機器ユニット固定スタンドの背面図。
【図６】電子機器ユニット固定スタンドの側面図。
【図７】第１固定手段を示す拡大端面図。
【図８】第３固定手段を示す拡大端面図。
【図９】支持プレートの支持部の一例を示す拡大図。
【図１０】電子機器収容専用ラックに取り付けられた状態で示す電子機器ユニット固定スタンドの正面図。
【図１１】伸縮弾性スペーサの斜視図。
【図１２】電子機器ユニットをベースプレートに固定した状態の拡大上面図。
【図１３】電子機器ユニットをベースプレートに固定した状態の拡大正面図。
【図１４】電子機器ユニットをベースプレートに固定した状態の拡大側面図。
【図１５】支持プレートの支持部の他の一例を示す拡大図。
【図１６】電子機器ユニットをベースプレートに固定した状態の拡大上面図。
【図１７】電子機器ユニットをベースプレートに固定した状態の拡大正面図。
【図１８】電子機器ユニットをベースプレートに固定した状態の拡大側面図。
【図１９】第１引張コイルバネの連結を示す拡大端面図。
【図２０】第２引張コイルバネの連結を示す拡大端面図。
【図２１】第３引張コイルバネの連結を示す拡大端面図。
【図２２】他の一例として示す電子機器ユニット固定スタンドの斜視図。
【図２３】図２２の電子機器ユニット固定スタンドの上面図。
【発明を実施するための形態】
【００３１】
一例として示す電子機器ユニット固定スタンド１０Ａの斜視図である図１等の添付の図面を参照し、本発明に係る電子機器ユニット固定スタンドの詳細を説明すると、以下のとおりである。なお、図２は、ベースプレート１２の平面図であり、図３は、電子機器ユニット固定スタンド１０Ａの上面図である。図４は、電子機器ユニット固定スタンド１０Ａの正面図であり、図５は、電子機器ユニット固定スタンド１０Ａの背面図である。図６は、電子機器ユニット固定スタンド１０Ａの側面図であり、図７は、第１固定手段１６を示す拡大端面図である。図８は、第３固定手段１８を示す拡大端面図であり、図９は、支持プレート１５の支持部４６の一例を示す拡大図である。図１では、横方向を矢印Ｘ、前後方向を矢印Ｙで示し、上下方向を矢印Ｚで示す。それら図では、結束バンド１９（第２固定手段）や伸縮弾性スペーサ７２の図示を省略している。
【００３２】
電子機器ユニット固定スタンド１０Ａは、サーバやルーター、RAIDストレイジ、ファイアウォール専用機等の電子機器ユニット１１を着脱可能に固定する。電子機器ユニット固定スタンド１０Ａは、所定面積のベースプレート１２と、一対の取付プレート１３と、ベースプレート１２の上面１４に位置する複数の支持プレート１５と、それら支持プレート１５をベースプレート１２に固定する第１固定手段１６と、ベースプレート１２の上面１４に位置する複数の支持スライダー１７と、それら支持スライダー１７をベースプレート１２に固定する第３固定手段１８と、電子機器ユニット１１をベースプレート１２に固定する結束バンド１９（第２固定手段）（図１２〜図１４参照）とから形成されている。
【００３３】
ベースプレート１２は、アルミやステンレス、ジュラルミン等の金属から作られ、平面形状が四角形の板状に成形されている。ベースプレート１２は、横方向へ延びる前後端部２０，２１と、前後方向へ延びる両側縁部２１とを有する。ベースプレート１２の前後端部２０，２１および両側部２２には、上下方向へ延びる脚部２３が一体に連接されている。ベースプレート１２の後端部２１には、電子機器ユニット１１から延びる電源ケーブル２４（電線）を係止するフック２５が形成されている。ベースプレート１２の両側部２２につながる脚部２３には、螺子部材３９（ビス）を挿入または螺着する固定孔が穿孔されている。
【００３４】
ベースプレート１２には、横方向へ直状に延びる第１案内開口２６と、横方向へ直状に延びる第２案内開口２７と、前後方向へ直状に延びる複数の第３案内開口２８と、横方向へ直状に延びる複数の第１通気開口２９と、前後方向へ直状に延びる複数の第２通気開口３０とが穿孔（形成）されている。ベースプレート１２の第２案内開口２７を囲繞する端縁３１（第１案内開口２６の側に延びる端縁３１）には、第２案内開口２７に位置して上下方向へ延びる垂直部３２が一体に連接されている（図１４参照）。
【００３５】
第１案内開口２６は、横方向へ開口する帯状の貫通孔であり、ベースプレート１２の前端部２０であってベースプレート１２の両側部２２の間に形成されている。第２案内開口２７は、横方向へ開口する帯状の貫通孔であり、第１案内開口２６から後方へ所定寸法離間した位置（ベースプレート１２の略中央）であってベースプレート１２の両側部２２の間に形成され、第１案内開口２６に並行して並んでいる。第１および第２案内開口２６，２７は、横方向の長さ寸法が略同一である。第１および第２案内開口２６，２７の横方向の長さ寸法に特に限定はなく、ベースプレート１２の横方向の長さ寸法にあわせて横方向の長さ寸法が任意に設定される。
【００３６】
それら第３案内開口２８は、前後方向へ開口する帯状の貫通孔であり、第２案内開口２７から後方へ所定寸法離間した位置であってベースプレート１２の略後半分に形成され、横方向へ等間隔離間（所定寸法離間）して並んでいる。それら第３案内開口２８は、互いに並行して並び、前後方向の長さ寸法が同一である。第３案内開口２８の数や前後方向の長さ寸法に特に制限はなく、ベースプレート１２の前後方向および横方向の長さ寸法にあわせて数や前後方向の長さ寸法を任意に設定することができる。ベースプレート１２の後端部２１に延びる第３案内開口２８には、支持スライダー１７を挿入または抜き取る円形の挿脱孔３３が穿孔（形成）されている。
【００３７】
それら第１通気開口２９は、横方向へ開口する略帯状の貫通孔であり、第１案内開口２６と第２案内開口２７との間に形成され、前後方向へ等間隔離間（所定寸法離間）して並んでいる。それら第１通気開口２９は、互いに並行して並び、横方向の長さ寸法が同一である。第１通気開口２９の数や横方向の長さ寸法に特に制限はなく、ベースプレート１２の前後方向および横方向の長さ寸法にあわせて数や横方向の長さ寸法を任意に設定することができる。なお、第１通気開口２９が前後方向へ延びるとともに、横方向へ等間隔離間（所定寸法離間）して並んでいてもよい。
【００３８】
それら第２通気開口３０は、前後方向へ開口する略帯状の貫通孔であり、第２案内開口２７から後方へ所定寸法離間した位置であってそれら第３案内開口２８の間に形成され、横方向へ等間隔離間（所定寸法離間）して並んでいる。それら第２通気開口３０は、互いに並行して並び、前後方向の長さ寸法が同一である。第２通気開口３０の数や前後方向の長さ寸法に特に制限はなく、ベースプレート１２の前後方向および横方向の長さ寸法にあわせて数や前後方向の長さ寸法を任意に設定することができる。なお、第２通気開口が横方向へ延びるとともに、前後方向へ等間隔離間（所定寸法離間）して並んでいてもよい。
【００３９】
それら取付プレート１３は、アルミやステンレス、ジュラルミン等の金属から作られ、所定面積の同形同大の板状に成形されている。それら取付プレート１３は、電子機器ユニット固定スタンド１０Ａ（後記する電子機器ユニット固定スタンド１０Ｂを含む）をインターネットデータセンターに据え付けられた電子機器収容専用ラック３４に設置するために使用される。それら取付プレート１３は、上端縁３５および下端縁３６と前端縁３７とを有し、ベースプレート１２の両側部２２に位置して上下方向へ延びている。取付プレート１３の上端縁３５は、前後方向後方に向かうにつれて下り勾配に傾斜している。なお、取付プレート１３の平面形状が前後方向へ長い長方形であってもよい。
【００４０】
取付プレート１３の略中央の前方と後方とには、結束バンド１９の後記するストラップ７５を連結する複数の連結孔３８（連結箇所）が穿孔（形成）されている。取付プレート１３の下端縁３６近傍には、螺子部材３９（ビス）を挿入または螺着する固定孔が穿孔されている。取付プレート１３の前端縁３７には、横方向へ延出する取付フランジ４０が一体に形成されている。取付フランジ４０には、固定ボルト４１を挿通または螺着する複数のボルト孔４２が穿孔されている。ベースプレート１２の脚部２３に穿孔された固定孔と取付プレート１２の下端縁３６近傍に穿孔された固定孔とに螺子部材３９（ビス）が挿入または螺着され、螺子部材３９にナットが螺着されることで、取付プレート１３がベースプレート１２の脚部２３に強固に連結されている。
【００４１】
それら支持プレート１５は、アルミやステンレス、ジュラルミン等の金属から作られている。それら支持プレート１５は、ベースプレート１２の略前半分に配置され、ベースプレート１２の上面１４において横方向へ並行して並んでいる。それら支持プレート１５は、同形同大であり、前後方向の長さ寸法が同一である。支持プレート１５の数や前後方向の長さ寸法に特に制限はなく、ベースプレート１２の前後方向および横方向の長さ寸法にあわせてその数や前後方向の長さ寸法を任意に設定することができる。
【００４２】
支持プレート１５は、横方向へスライド可能な前端部４３と、横方向へスライド可能な後端部４５と、前後端部４３，４５の間に位置して前後方向へ延びる中間部４４と、上下方向へ延びる所定面積の支持部４６とを有する。それら支持プレート１５は、その前端部４３が第１案内開口２６において横方向へスライド可能であり、その後端部４５が第２案内開口２７において横方向へスライド可能であるから、ベースプレート１２の上面１４において横方向へスライド可能である。
【００４３】
支持プレート１５の前端部４３は、第１案内開口２６に配置され、第１固定手段１６による固定が解除されている場合、第１案内開口２６において横方向一方と横方向他方とへスライドさせることができる。前端部４３は、ベースプレート１２の上面１４に摺動可能に当接する水平摺動部分４７と、水平摺動部分４７の後端に連接された垂直支持部分４８とを有する。前端部４３の水平摺動部分４７は、略四角形に成形されて横方向へ延びている。水平摺動部分４７には、後記する第１固定金具５５の回転防止用の凸条５８が挿入される一対の挿入孔５９が穿孔（形成）され、後記する第１螺子部材５７（第１ビス）が挿入される前後方向へ長い挿入孔６０（ビス孔）が穿孔（形成）されている。前端部４３の垂直支持部分４８は、略四角形に成形されて上下方向へ延びている。中間部４４は、ベースプレート１２の上面１４に摺動可能に当接し、ベースプレート１２の略前半分において横方向一方と横方向他方とへスライド可能である。前端部４３と中間部４４とは、螺子（ビス）およびナットによって着脱可能に連結されている。
【００４４】
支持プレート１５の後端部４５は、第２案内開口２７に配置され、第１固定手段１６による固定が解除されている場合、第２案内開口２７において横方向一方と横方向他方とへスライドさせることができる。後端部４５は、ベースプレート１２の第２案内開口２７に位置して第２案内開口２７を囲繞する端縁３１（第１案内開口２６の側に延びる端縁３１）から上下方向下方へ延びる垂直摺動部分４９と、垂直摺動部分４９の下端から前後方向前方へ延びる水平摺動部分５０とを有する（図１４参照）。後端部４５の垂直摺動部分４９は、ベースプレート１２の垂直部３２に摺動可能に当接し、後端部４５の水平摺動部分５０は、ベースプレート１２の垂直部３２の下端に摺動可能に当接している。
【００４５】
支持プレート１５の支持部４６は、プレート１５の後端部４５と中間部４４とに位置し、螺子およびナットによって後端部４５と中間部４４とに着脱可能に連結されている。なお、支持部１５が前後端部４３，４５と中間部４４とに位置していてもよい。支持部１５は、ベースプレート１２の上面１４において横方向一方と横方向他方とへスライド可能である。支持部１５の下端近傍には、横方向へ凸となるクッションゴム５１が取り付けられ、支持部１５の上端近傍には、横方向へ凸となるクッションゴム５１が取り付けられている。
【００４６】
支持プレート１５の支持部４６は、その下端から横方向へ延びた後に上方へ延びる第１支持部分５２（第１支持部材）と、その上端から横方向へ延びた後に下方へ延びる第２支持部分５３（第２支持部材）とを有する。第１支持部分５２は、断面Ｌ字状に成形され、支持部４６と一体成形されている。第１支持部分５２の上方へ延びる部位には、横方向へ凸となるクッションゴム５１が取り付けられている。なお、第１支持部分５２が支持部４６と別体の第１支持部材であり、その第１支持部材が螺子およびナットによって支持部４６の下端から横方向へ延びるフランジに着脱可能に取り付けられていてもよい。
【００４７】
第２支持部分５３は、断面Ｌ字状に成形され、支持部４６と一体成形されている。第２支持部分５３の横方向（水平方向）へ延びる部位の前方と後方とには、横方向へ並ぶ一対の連結孔５４（連結箇所）が穿孔（形成）されている。第２支持部分５３の下方へ延びる部位には、横方向へ凸となるクッションゴム５１が取り付けられている。なお、第２支持部分５３が支持部４６と別体の第２支持部材であり、その第２支持部材が螺子およびナットによって支持部４６の上端から横方向へ延びるフランジに着脱可能に取り付けられていてもよい。
【００４８】
第１固定手段１６は、第１案内開口２６に位置する支持プレート１５の前端部４３の水平摺動部分４７に形成されている。第１固定手段１６は、第１案内開口２６近傍に延びるベースプレート１２を挟んで支持プレート１５の前端部４３の水平摺動部分４７の下面に位置する平板状の第１固定金具５５（第１固定コマ）と、第１固定金具５５の螺着孔５６に螺着された第１螺子部材５７（第１ビス）とから形成されている。第１固定金具５５は、アルミやステンレス、ジュラルミン等の金属から作られ、所定面積の略四角形に成形されている。
【００４９】
第１固定金具５５は、その前後端部が第１案内開口２６を囲繞するベースプレート１２の下面に位置している。第１固定金具５５の両側縁には、上下方向へ凸となって前後方向へ延びる回転防止用の凸条５８が一体に連接されている。第１固定金具５５は、回転防止用の凸条５８が支持プレート１５の前端部４３の水平摺動部分４７に穿孔された挿入孔５９に挿入されている。第１固定金具５５は、前端部４３の水平摺動部分４７の挿入孔５９に挿入された回転防止用の凸条５８によって水平方向の回転が阻止されている。第１螺子部材５７（第１ビス）は、支持プレート１５の前端部４３の水平摺動部分４７に穿孔された挿入孔６０に挿入されているとともに、第１固定金具５５の螺着孔５６に螺着されている。
【００５０】
第１螺子部材５７（第１ビス）を時計回り方向に回転させると、第１螺子部材５７が第１固定金具５５の螺着孔５６を時計回り方向へ回転し、第１螺子部材５７が第１固定金具５５から下方へ次第に延出して第１固定金具５５が支持プレート１５の前端部４３の水平摺動部分４７に次第に近づき、第１固定金具５５と水平摺動部分４７とが第１案内開口２６近傍に延びるベースプレート１２を挟み込む。第１固定金具５５と水平摺動部分４７とがベースプレート１２を強固に挟み込むことで、支持プレート１５の前端部４３がベースプレート１２にスライド不能に固定され、それによって支持プレート１５がベースプレート１２にスライド不能に固定される。
【００５１】
第１固定金具５５と水平摺動部分４７とがベースプレート１２を挟み込んだ状態から、第１螺子部材５７（第１ビス）を反時計回り方向に回転させると、第１螺子部材５７が第１固定金具５５の螺着孔５６を反時計回り方向へ回転し、第１螺子部材５７が第１固定金具５５から上方へ次第に延出して第１固定金具５５が支持プレート１５の前端部４３の水平摺動部分４７から次第に離間し、第１案内開口２６近傍に延びるベースプレート１２に対する第１固定金具５５と水平摺動部分４７との挟み込みが次第に解除され、ベースプレート１２に対する支持プレート１５の固定が解除される。ベースプレート１２に対する支持プレート１５の固定が解除されると、支持プレート１５がベースプレート１２の上面１４において横方向へスライド可能になる。第１螺子部材５７を時計回り方向と反時計回り方向とへ回転させることで、ベースプレート１２に対する支持プレート１５の固定とベースプレート１２に対する支持プレート１５の固定解除とを繰り返すことができる。
【００５２】
それら支持スライダー１７は、アルミやステンレス、ジュラルミン等の金属から作られ、同形同大である。それら支持スライダー１７は、ベースプレート１２の上面１４であってそれら支持プレート１５の後方に位置（ベースプレート１２の略後半分に位置）し、ベースプレート１２の横方向へ等間隔離間（所定寸法離間）して並んでいる。支持スライダー１７は、第３案内開口２８に配置され、第３固定手段１８による固定が解除されている場合、第３案内開口２８において前後方向前方と前後方向後方とへスライドさせることができる。
【００５３】
それら支持スライダー１７は、ベースプレート１２の上面１４に摺動可能に当接する平板状の水平摺動部６１と、水平摺動部６１の前端に連接された垂直支持部６２とを有する。支持スライダー１７の水平摺動部６１は、平板状の略四角形に成形されて横方向へ延びている。水平摺動部６１には、後記する第２固定金具６５の回転防止用の凸条６９が挿入される一対の挿入孔６３が穿孔（形成）され、後記する第２螺子部材６７（第２ビス）が挿入される横方向へ長い挿入孔６４（ビス孔）が穿孔（形成）されている。支持スライダー１７の垂直支持部６２は、平板状の略四角形に成形されて上下方向へ延びている。
【００５４】
第３固定手段１８は、第３案内開口２８に位置する支持スライダー１７に形成されている。第３固定手段１８は、第３案内開口２８近傍に延びるベースプレート１２を挟んで支持スライダー１７の水平摺動部６１の下面に位置する平板状の第２固定金具６５（第２固定コマ）と、第２固定金具６５の螺着孔６６に螺着された第２螺子部材６７（第２ビス）とから形成されている。第２固定金具６５は、アルミやステンレス、ジュラルミン等の金属から作られ、所定面積の略四角形に成形されている。
【００５５】
第２固定金具６５は、その両側縁部が第３案内開口２８を囲繞するベースプレート１２の下面６８に位置している。第２固定金具６５の前後端縁には、上下方向へ凸となって横方向へ延びる回転防止用の凸条６９が一体に連接されている。第２固定金具６５は、回転防止用の凸条６９が支持スライダー１７の水平摺動部６１に穿孔された挿入孔６３に挿入されている。第２固定金具６５は、支持スライダー１７の水平摺動部６１の挿入孔６３に挿入された回転防止用の凸条６９によって水平方向の回転が阻止されている。第２螺子部材６７（第２ビス）は、支持スライダー１７の水平摺動部６１に穿孔された挿入孔６４に挿入されているとともに、第２固定金具６５の螺着孔６６に螺着されている。
【００５６】
第２螺子部材６７（第２ビス）を時計回り方向に回転させると、第２螺子部材６７が第２固定金具６５の螺着孔６６を時計回り方向へ回転し、第２螺子部材６７が第２固定金具６５から下方へ次第に延出して第２固定金具６５が支持スライダー１７の水平摺動部６１に次第に近づき、第２固定金具６５と水平摺動部６１とが第３案内開口２８近傍に延びるベースプレート１２を挟み込む。第２固定金具６５と水平摺動部６１とがベースプレート１２を強固に挟み込むことで、支持スライダー１７がベースプレート１２にスライド不能に固定される。
【００５７】
第２固定金具６５と水平摺動部６１とがベースプレート１２を挟み込んだ状態から、第２螺子部材６７（第２ビス）を反時計回り方向に回転させると、第２螺子部材６７が第２固定金具６５の螺着孔６６を反時計回り方向へ回転し、第２螺子部材６７が第２固定金具６５から上方へ次第に延出して第２固定金具６５が支持スライダー１７の水平摺動部６１から次第に離間し、第３案内開口２８近傍に延びるベースプレート１２に対する第２固定金具６５と水平摺動部６１との挟み込みが次第に解除され、ベースプレート１２に対する支持スライダー１７の固定が解除される。ベースプレート１２に対する支持スライダー１７の固定が解除されると、支持スライダー１７がベースプレート１２の上面１４において前後方向へスライド可能になる。第２螺子部材６７を時計回り方向と反時計回り方向とへ回転させることで、ベースプレート１２に対する支持スライダー１７の固定とベースプレート１２に対する支持スライダー１７の固定解除とを繰り返すことができる。
【００５８】
図１０は、電子機器収容専用ラック３４に取り付けられた状態で示す電子機器ユニット固定スタンド１０Ａの正面図であり、図１１は、伸縮弾性スペーサ７２の斜視図である。図１２は、電子機器ユニット１１をベースプレート１２に固定した状態の拡大上面図の一例であり、図１３は、電子機器ユニット１１をベースプレート１２に固定した状態の拡大正面図の一例である。図１４は、電子機器ユニット１１をベースプレート１２に固定した状態の拡大側面図の一例である。図１２では、電線ケーブル２４の図示を省略している。図１４では、取付プレート１３や電子機器収容専用ラック３４の図示を省略している。
【００５９】
電子機器ユニット固定スタンド１０Ａでは、横方向へ並ぶ最大９台の各種の電子機器ユニット１１がベースプレート１２の上面１４に着脱可能に固定される。図１０では、ベースプレート１２の上面１４に固定された電子機器ユニット１１を２台のみ図示しているが、実際には、横方向へ並ぶ複数台の電子機器ユニット１１がベースプレート１２の上面１４に着脱可能に固定される。
【００６０】
電子機器ユニット固定スタンド１０Ａは、それをインターネットデータセンターのサーバ室に据え付けられた電子機器収容専用ラック３４の棚板７０に載置した後、電子機器収容専用ラック３４の縦支柱７１の前面に取付プレート１３の取付フランジ４０を配置し、電子機器収容専用ラック３４の縦支柱７１に穿孔されたボルト孔と取付フランジ４０に穿孔されたボルト孔４２とを一致させ、それらボルト孔に固定ボルト４１を挿入しつつ、その固定ボルト４１にナットを螺着することで、複数の電子機器ユニット固定スタンド１０Ａを電子機器収容専用ラック３４の棚板７０に設置・固定する。
【００６１】
電子機器ユニット固定スタンド１０Ａにサーバやルーター、RAIDストレイジ、ファイアウォール専用機等の電子機器ユニット１１を固定する手順の一例を説明すると、以下のとおりである。第１螺子部材５７を反時計回り方向へ回転させ、ベースプレート１２に対する支持プレート１５の固定を解除し、第２螺子部材６７を反時計回り方向へ回転させ、ベースプレート１２に対する支持スライダー１７の固定を解除した後、支持スライダー１７を第３案内開口２８において前後方向後方へスライド（移動）させ、支持プレート１５を第１および第２案内開口２６，２７において横方向一方と横方向他方とへスライド（移動）させ、横方向に隣接する支持プレート１５を横方向へ離間させる。
【００６２】
次に、電子機器ユニット１１を上下方向へ起立させ、起立した状態の電子機器ユニット１１をベースプレート１２の上面１４であって横方向へ隣接する支持プレート１５の間に配置し、電子機器ユニット１１の前端部（端部）を支持プレート１５の前端部４３の垂直支持部分４８に当接させる。なお、起立させた電子機器ユニット１１は、長方形の六面を有する上下方向へ長い直方体であり、後端部（端部）から延びる電源ケーブル２４（電線）がベースプレート１２の略後半分に延出する。
【００６３】
電子機器ユニット１１の前端部を支持プレート１５の前端部４３の垂直支持部分４８に当接させた後、電子機器ユニット１１の両側に位置する一方の支持プレート１５を横方向一方へスライドさせて一方の支持プレート１５を電子機器ユニット１１の一方の側面に当接させ、他方の支持プレート１５を横方向他方へスライドさせて他方の支持プレート１５を電子機器ユニット１１の他方の側面に当接させ、それら支持プレート１５で電子機器ユニット１１の両側面を挟み込む。
【００６４】
それら支持プレート１５が電子機器ユニット１１の両側面を挟み込むと、一方の支持プレート１５の支持部４６の第１支持部分５２（クッションゴム５１）が電子機器ユニット１１の側面下方に当接（密着）し、一方の支持プレート１５の支持部４６の第２支持部分５３（クッションゴム５１）が電子機器ユニット１１の側面上方に当接（密着）するとともに、他方の支持プレート１５の支持部４６（クッションゴム５１）が電子機器ユニット１１の側面に当接（密着）する。一方の支持プレート１５の支持部４６の第１および第２支持部分５２，５３が電子機器ユニット１１の側面上方と側面下方とに当接することで、支持部４６と電子機器ユニット１１の側面との間に間隙が形成される。
【００６５】
それら支持プレート１５で電子機器ユニット１１を挟み込んだ後、第１螺子部材５７を時計回り方向へ回転させ、第１固定金具５５と支持プレート１５の前端部４３の水平摺動部分４７とでベースプレート１２を挟み込むことで、それら支持プレート１５をベースプレート１２にスライド不能に固定する。それら支持プレート１５をベースプレート１２に固定した後、前後方向後方にスライドさせた支持スライダー１７を電子機器ユニット１１に向かって前後方向前方へスライドさせ、支持スライダー１７の垂直支持部６２を電子機器ユニット１１の後端部（端部）に当接（密着）させる。次に、第２螺子部材６７を時計回り方向へ回転させ、第２固定金具６５と支持スライダー１７の水平摺動部６１とでベースプレート１２を挟み込むことで、支持スライダー１７をベースプレート１２にスライド不能に固定する。
【００６６】
それら支持プレート１５および支持スライダー１７をベースプレート１２にスライド不能に固定すると、電子機器ユニット１１の両側面が一方の支持プレート１５の第１および第２支持部分５２，５３と他方の支持プレート１５の支持部４６とに挟まれ、電子機器ユニット１１の前後端部が支持プレート１５の前端部４３の垂直支持部分４８と支持スライダー１７の垂直支持部６２とに挟まれ、電子機器ユニット１１が支持プレート１５および支持スライダー１７によって４点で支持される。
【００６７】
なお、取付プレート１３に隣接する支持プレート１５と取付プレート１３との間に電子機器ユニット１１を配置する場合、取付プレート１３に隣接する支持プレート１５と取付プレート１３との間に伸縮弾性スペーサ７２を圧縮状態で介在させる。伸縮弾性スペーサ７２は、図１１に示すように、互いに離間する２枚の当接板７３と、それら当接板７３の間に取り付けられた２つの圧縮コイルバネ７４とから形成されている。伸縮弾性スペーサ７２を圧縮状態で設置すると、スペーサ７２の一方の当接板７３が取付プレート１３に当接し、スペーサ７２の他方の当接板７３が電子機器ユニット１１の側面に当接し、圧縮コイルバネ７４の付勢力によって電子機器ユニット１１が横方向へ付勢され、電子機器ユニット１１の側面が取付プレート１３に隣接する支持プレート１５の支持部４６の第１および第２支持部分５２，５３に押し当てられる。
【００６８】
次に、結束バンド１９（第２固定手段）を支持プレート１５の支持部４６の第２支持部分５３に取り付けるとともに、結束バンド１９によって電子機器ユニット１１をベースプレート１２に固定する。結束バンド１９には、一度結束した後、使い捨てにするタイプ、または、一度結束した後、結束を解除することができ、再結束が可能なリピートタイプを使用することができる。なお、第２固定手段として、結束バンド１９の他に、紐や針金（ワイヤー）を使用することもできる。結束バンド１９は、合成樹脂から作られ、テール（先端部）と、テールにつながってセレーション（刃部）を有するストラップ７５（バンド部）と、ストラップ７５の一端部に位置してストラップ７５を固定（ロック）するストラップロック７６（ロック部）とから形成されている。
【００６９】
結束バンド１９の支持プレート１５の支持部４６や取付プレート１３への取付手順の一例は、以下のとおりである。一方の結束バンド１９のテールを一方の支持プレート１５の支持部４６の第２支持部分５３の後方に穿孔されたそれら連結孔５４（連結箇所）に挿通し、結束バンド１９のストラップ７５（バンド部）を電子機器ユニット１１の頂部７７を跨がせた後（頂部７７を越えた後）、他方の支持プレート１５の支持部４６の第２支持部分５３の前方に穿孔されたそれら連結孔５４（連結箇所）にストラップ７５を挿通し、一方の結束バンド１９のテールをストラップロック７６（ロック部）に挿通してストラップ７５をその長さ方向へ強く引く。
【００７０】
ストラップロック７６に進入したストラップ７５はそれに形成されたセレーションがストラップロック７６の爪に係合することで、ストラップ７５がストラップロック７６に固定され、ストラップロック７６からのストラップ７５の抜けが防がれる。一方の結束バンド１９によって電子機器ユニット１１の頂部７７を固定すると、その結束バンド１９によって電子機器ユニット１１がベースプレート１２に向かって押し付けられる。一方の結束バンド１９によって電子機器ユニット１１の頂部７７を固定した後、ストラップロック７６から露出する余分なストラップ７５（テールを含む）を切断する。
【００７１】
さらに、他方の結束バンド１９のテールを一方の支持プレート１５の支持部４６の第２支持部分５３の前方に穿孔されたそれら連結孔５４（連結箇所）に挿通し、結束バンド１９のストラップ７５（バンド部）を電子機器ユニット１１の頂部７７を跨がせた後、他方の支持プレート１５の支持部４６の第２支持部分５３の後方に穿孔されたそれら連結孔５４（連結箇所）にストラップ７５を挿通し、他方の結束バンド１９のテールをストラップロック７６（ロック部）に挿通してストラップ７５をその長さ方向へ強く引く。
【００７２】
他方の結束バンド１９によって電子機器ユニット１１の頂部７７を固定すると、その結束バンド１９によって電子機器ユニット１１がベースプレート１２に向かって押し付けられる。他方の結束バンド１９によって電子機器ユニット１１の頂部７７を固定した後、ストラップロック７６から露出する余分なストラップ７５（テールを含む）を切断する。それら結束バンド１９のストラップ７５が電子機器ユニット１１の頂部７７において交叉し、支持プレート１５の間に配置された電子機器ユニット１１のベースプレート１２の上面１４から前後方向や上方への移動（上面１４における遊動）が拘束（阻止）される。
【００７３】
取付プレート１３に隣接する支持プレート１５と取付プレート１３との間に電子機器ユニット１１を配置した場合、一方の結束バンド１９のテールを支持プレート１５の支持部４６の第２支持部分５３の後方に穿孔されたそれら連結孔５４（連結箇所）に挿通し、結束バンド１９のストラップ７５（バンド部）を電子機器ユニット１１の頂部７７を跨がせた後、取付プレート１３に穿孔されたそれら連結孔３８（連結箇所）にストラップ７５を挿通し、一方の結束バンド１９のテールをストラップロック７６（ロック部）に挿通してストラップ７５をその長さ方向へ強く引く。一方の結束バンド１９によって電子機器ユニット１１の頂部７７を固定すると、その結束バンド１９によって電子機器ユニット１１がベースプレート１２に向かって押し付けられる。一方の結束バンド１９によって電子機器ユニット１１の頂部７７を固定した後、ストラップロック７６から露出する余分なストラップ７５（テールを含む）を切断する。
【００７４】
さらに、他方の結束バンド１９のテールを一方の支持プレート１５の支持部４６の第２支持部分５３の前方に穿孔されたそれら連結孔５４（連結箇所）に挿通し、結束バンド１９のストラップ７５（バンド部）を電子機器ユニット１１の頂部７７を跨がせた後、取付プレート１３に穿孔されたそれら連結孔３８（連結箇所）にストラップ７５を挿通し、他方の結束バンド１９のテールをストラップロック７６（ロック部）に挿通してストラップ７５をその長さ方向へ強く引く。他方の結束バンド１９によって電子機器ユニット１１の頂部７７を固定すると、その結束バンド１９によって電子機器ユニット１１がベースプレート１２に向かって押し付けられる。他方の結束バンド１９によって電子機器ユニット１１の頂部７７を固定した後、ストラップロック７６から露出する余分なストラップ７５（テールを含む）を切断する。
【００７５】
それら結束バンド１９のストラップ７５が電子機器ユニット１１の頂部７７において交叉し、取付プレート１３に隣接する支持プレート１５と取付プレート１３との間に配置された電子機器ユニット１１のベースプレート１２の上面１４から前後方向や上方への移動（上面１４における遊動）が拘束（阻止）される。なお、各電子機器ユニット１１から延びる電源ケーブル２４（電線）をベースプレート１２の後端部のフック２５に係止する。
【００７６】
電子機器ユニット固定スタンド１０Ａでは、電子機器ユニット１１の両側面が一方の支持プレート１５の支持部４６の第１および第２支持部分５２，５３と他方の支持プレート１５の支持部４６とに挟まれ、電子機器ユニット１１の前後端部が支持プレート１５の前端部４３の垂直支持部分４８と支持スライダー１７の垂直支持部６２とに挟まれ、電子機器ユニット１１が支持プレート１５および支持スライダー１７によって４点で支持されるとともに、結束バンド１９（第２固定手段）によって電子機器ユニット１１の動きが拘束（阻止）され、電子機器ユニット１１がベースプレート１２の上面１４に遊動不能に固定される。なお、結束バンド１９の連結方法について特に制限はなく、図示のそれ以外の方法や手順で結束バンド１９を連結し、結束バンド１９によって電子機器ユニット１１をベースプレート１２に固定することもできる。
【００７７】
それら電子機器ユニット１１の電源ケーブル２４を電源に接続してそれら電子機器ユニット１１を起動させる。電子機器ユニット１１を起動させると、電子機器ユニット１１が自己発熱し、電子機器ユニット１１の温度が上昇する。しかし、インターネットデータセンターでは、機械室（空調室）に設置された空調機から冷気が給気され、その冷気がサーバ室（冷却室）の床下を通ってサーバ室のコールドアイルに流入し、サーバ室に設置された電子機器収容専用ラック３４を通流するとともに、電子機器収容専用ラック３４に設置・固定された電子機器ユニット固定スタンド１０Ａの第１および第２通気開口２９，３０や第１〜第３案内開口２６〜２８を通流しつつ、電子機器ユニット固定スタンド１０Ａに固定された各電子機器ユニット１１を冷却する。各電子機器ユニット１１の熱を吸収して冷気から温風に変わった熱気は、サーバ室のホットアイルに流入した後、ホットアイルから天井空間に流入し、天井空間から機械室に流入し、空調機によって冷気に変換され、その冷気が再びサーバ室に給気される。
【００７８】
図１５は、支持プレート１５の支持部４６の他の一例を示す拡大図であり、図１６は、電子機器ユニット１１をベースプレート１２に固定した状態の拡大上面図の他の一例である。図１７は、電子機器ユニット１１をベースプレート１２に固定した状態の拡大正面図の他の一例であり、図１８は、電子機器ユニット１１をベースプレート１２に固定した状態の拡大側面図の他の一例である。図１６では、電線ケーブル２４の図示を省略している。図１８では、取付プレート１３の図示を省略している。
【００７９】
一方の支持プレート１５の支持部４６の第２支持部分５３の横方向（水平方向）へ延びる部位の後方には、結束バンド１９の後記する固定マウント７９をリリース可能またはリリース不能に設置する円形の設置孔７８（設置箇所）が穿孔されている。一方の支持プレート１５の支持部４６の第２支持部分５３の横方向（水平方向）へ延びる部位の前方には、横方向へ並ぶ一対の連結孔５４（連結箇所）が穿孔（形成）されている。他方の支持プレート１５の支持部４６の第２支持部分５３の横方向（水平方向）へ延びる部位の後方には、結束バンド１９の固定マウント７９をリリース可能またはリリース不能に設置する円形の設置孔７８（設置箇所）が穿孔されている。他方の支持プレート１５の支持部４６の第２支持部分５３の横方向（水平方向）へ延びる部位の前方には、横方向へ並ぶ一対の連結孔５４（連結箇所）が穿孔（形成）されている。
【００８０】
取付プレート１３の略中央には、結束バンド１９の固定マウント７９をリリース可能またはリリース不能に設置する円形の設置孔７８（設置箇所）が穿孔（形成）されているとともに、一対の連結孔５４（連結箇所）が穿孔（形成）されている。結束バンド１９は、合成樹脂から作られ、テール（先端部）と、テールにつながってセレーション（刃部）を有するストラップ７５（バンド部）と、ストラップ７５の一端部に位置し、ストラップ７５を固定（ロック）するストラップロック７６（ロック部）を有する固定マウント７９（ヤジリ部）とから形成されている。結束バンド１９は、各設置孔７８（設置箇所）に対して固定マウント７９がリリース可能またはリリース不能のいずれであってもよい。
【００８１】
支持プレート１５や支持スライダー１７によって電子機器ユニット１１をバースプレート１２に固定する手順は既述のとおりである。結束バンド１９の支持プレートの支持部や取付プレートへの取付手順の一例は、以下のとおりである。一方の結束バンド１８の固定マウント７９（ヤジリ部）を一方の支持プレート１５の支持部４６の第２支持部分５３の後方に穿孔された設置孔７８（設置箇所）に差し込んで固定マウント７９を設置孔７８に嵌め込み、一方の結束バンド１９の一端部を第２支持部分５３に連結した後、結束バンド１９のストラップ７５（バンド部）を電子機器ユニット１１の頂部７７を跨がせ、結束バンド１９のテールを他方の支持プレート１５の支持部４６の第２支持部分５３の前方に穿孔されたそれら連結孔５４（連結箇所）に挿通し、さらに結束バンド１９のストラップ７５を電子機器ユニット１１の頂部７７を跨がせ、固定マウント７９に位置するストラップロック７６（ロック部）に結束バンド１９のテールを挿通してストラップ７５をその長さ方向へ強く引く。
【００８２】
ストラップロック７６に進入したストラップ７５はそれに形成されたセレーションがストラップロック７６の爪に係合することで、ストラップ７５がストラップロック７６に固定され、ストラップロック７６からのストラップ７５の抜けが防がれる。一方の結束バンド１９によって電子機器ユニット１１の頂部７７を固定すると、その結束バンド１９によって電子機器ユニット１１がベースプレート１２に向かって押し付けられる。固定マウント７９が第２支持部分５３の設置孔７８からリリース不能である場合、その結束バンド１９によって電子機器ユニット７７の頂部を固定した後、ストラップロック７６から露出する余分なストラップ７５（テールを含む）を切断する。
【００８３】
さらに、他方の結束バンド１９の固定マウント７９（ヤジリ部）を他方の支持プレート１５の支持部４６の第２支持部分５３の後方に穿孔された設置孔７８（設置箇所）に差し込んで固定マウント７９を設置孔７８に嵌め込み、他方の結束バンド１９の一端部を第２支持部分５３に連結した後、結束バンド１９のストラップ７５（バンド部）を電子機器ユニット１１の頂部７７を跨がせ、結束バンド１９のテールを一方の支持プレート１５の支持部４６の第２支持部分５３の前方に穿孔されたそれら連結孔５４（連結箇所）に挿通し、さらに結束バンド１９のストラップ７５を電子機器ユニット１１の頂部７７を跨がせ、固定マウント７９に位置するストラップロック７６（ロック部）に結束バンド１９のテールを挿通してストラップ７５をその長さ方向へ強く引く。
【００８４】
他方の結束バンド１９によって電子機器ユニット１１の頂部７７を固定すると、その結束バンド１９によって電子機器ユニット１１がベースプレート１２に向かって押し付けられる。固定マウント７９が第２支持部分５３の設置孔７８からリリース不能である場合、他方の結束バンド１９によって電子機器ユニット１１の頂部７７を固定した後、ストラップロック７６から露出する余分なストラップ７５（テールを含む）を切断する。それら結束バンド１９のストラップ７５が電子機器ユニット１１の頂部７７において交叉し、支持プレート１５の間に配置された電子機器ユニット１１のベースプレート１２の上面１４から前後方向や上方への移動（上面１４における遊動）が拘束（阻止）される。
【００８５】
取付プレート１３に隣接する支持プレート１５と取付プレート１３との間に電子機器ユニット１１を配置した場合、結束バンド１９の固定マウント７９（ヤジリ部）を取付プレート１３の略中央に穿孔された設置孔７８（設置箇所）に差し込んで固定マウント７９を設置孔７８に嵌め込み、結束バンド１９の一端部を取付プレート１３に連結した後、結束バンド１９のストラップ７５（バンド部）を電子機器ユニット１１の頂部７７を跨がせ、結束バンド１９のテールを支持プレート１５の支持部４６の第２支持部分５３に穿孔されたそれら連結孔５４（連結箇所）に挿通し、さらに結束バンド１９のストラップ７５を電子機器ユニット１１の頂部７７を跨がせ、取付プレート１３の連結孔３８にストラップ７５を挿通しつつ、固定マウント７９に位置するストラップロック７６（ロック部）に結束バンド１９のテールを挿通してストラップ７５をその長さ方向へ強く引く。
【００８６】
他方の結束バンド１９によって電子機器ユニット１１の頂部７７を固定すると、その結束バンド１９によって電子機器ユニット１１がベースプレート１２に向かって押し付けられる。固定マウント７９が取付プレート１３の設置孔７８からリリース不能である場合、結束バンド１９によって電子機器ユニット１１の頂部７７を固定した後、ストラップロック７６から露出する余分なストラップ７５（テールを含む）を切断する。結束バンド１９のストラップ７５が電子機器ユニット１１の頂部７７を跨ぎ、結束バンド１９によって電子機器ユニット１１が固定されることで、取付プレート１３に隣接する支持プレート１５と取付プレート１３との間に配置された電子機器ユニット１１のベースプレート１２の上面１４から前後方向や上方への移動（上面１４における遊動）が拘束（阻止）される。
【００８７】
電子機器ユニット固定スタンド１０Ａは、それら支持プレート１５の間にサーバやルーター、RAIDストレイジ、ファイアウォール専用機等の電子機器ユニット１１を配置しつつそれら支持プレート１５を横方向へスライドさせてそれら支持プレート１５で電子機器ユニット１１の両側面を挟み込み、電子機器ユニット１１を挟み込んだそれら支持プレート１５を第１固定手段１６を介してベースプレート１２に固定し、支持スライダー１７を電子機器ユニット１１に向かって前後方向前方へスライドさせて支持スライダー１７を電子機器ユニット１１の後端部に当接させ、電子機器ユニット１１の後端部に当接した支持スライダー１７を第３固定手段１８を介してベースプレート１２に固定するとともに、結束バンド１９（第２固定手段）を電子機器ユニット１１の頂部７７を跨がせた状態で一方の支持プレート１５から他方の支持プレート１５に向かって架け渡し、それら支持プレート１５と支持スライダー１７と結束バンド１９とを利用して電子機器ユニット１１をベースプレート１２に固定するから、ベースプレート１２に対する電子機器ユニット１１の固定が不用意に解除されることはなく、それら支持プレート１５やそれら支持スライダー１７、それら結束バンド１９を利用して電子機器ユニット１１をベースプレート１２に確実に固定することができ、一度に複数の電子機器ユニット１１を保持することができる。
【００８８】
電子機器ユニット固定スタンド１０Ａは、それら支持プレート１５がベースプレート１２の横方向へスライド可能であり、それら支持スライダー１７がベースプレート１２の前後方向へスライド可能であるから、ベースプレート１２に固定する電子機器ユニット１１の横方向の長さ寸法にあわせてそれら支持プレート１５を電子機器ユニット１１の両側に配置することができ、電子機器ユニット１１の前後方向の長さ寸法にあわせて支持スライダー１７を電子機器ユニット１１の後端部に当接させることができ、支持プレート１５および支持スライダー１７を利用して各種複数の大きさが異なる電子機器ユニット１１をベースプレート１２に確実に固定することができる。
【００８９】
電子機器ユニット固定スタンド１０Ａは、取付プレート１３に隣接する支持プレート１５と取付プレート１３との間に配置された電子機器ユニット１１を結束バンド１９（第２固定手段）によってベースプレート１２に固定するから、ベースプレート１２に対する電子機器ユニット１１の固定が不用意に解除されることはなく、支持プレート１５と取付プレート１３との間に配置された電子機器ユニット１１を結束バンド１９を利用してベースプレート１２に確実に固定することができる。
【００９０】
電子機器ユニット固定スタンド１０Ａは、取付プレート１３に隣接する支持プレート１５と取付プレート１３との間に電子機器ユニット１１を配置したとしても、伸縮弾性スペーサ７２の付勢力によって電子機器ユニット１１が横方向へ付勢されるから、電子機器ユニット１１の側面を取付プレート１３に隣接する支持プレート１５に押し当てることができ、支持プレート１５や結束バンド１９（第２固定手段）、伸縮弾性スペーサ７２を利用して支持プレート１５と取付プレート１３との間に配置された電子機器ユニット１１をベースプレート１２に確実に固定することができる。
【００９１】
電子機器ユニット固定スタンド１０Ａは、取付プレート１３を利用して電子機器ユニット固定スタンド１０Ａをインターネットデータセンターのサーバ室に据え付けられた電子機器収容専用ラック３４の棚板７０に取り付けることで、電子機器ユニット固定スタンド１０Ａをインターネットデータセンターのサーバ室において利用することができる。電子機器ユニット固定スタンド１０Ａは、上下方向へ起立した複数の電子機器ユニット１１が横方向へ並んだ状態でベースプレート１２の上面１４に設置・固定され、電子機器ユニット１１が平積みされることはなく、インターネットデータセンターのサーバ室に給気された冷気が第１および第２通気開口２９，３０や第１〜第３案内開口２６〜２８を通流しつつ、電子機器ユニット固定スタンド１０Ａに固定された各電子機器ユニット１１を冷却するから、自己発熱する各電子機器ユニット１１の熱を効率よく逃がすことができ、インターネットデータセンターの空調機から給気された冷気によってそれら電子機器ユニット１１を十分に冷却することができる。
【００９２】
図１９は、第１引張コイルバネ８０の連結を示す拡大端面図であり、図２０は、第２引張コイルバネ８１の連結を示す拡大端面図である。図２１は、第３引張コイルバネ８３の連結を示す拡大端面図である。電子機器ユニット固定スタンド１０Ｂが図１のそれと異なるところは、複数の第１引張コイルバネ８０と複数の第２引張コイルバネ８１と複数の第３引張コイルバネ８２とを有する点にあり、その他の構成は図１の電子機器ユニット固定スタンド１０Ａのそれらと同一であるから、図１の電子機器ユニット固定スタンド１０Ａの説明を援用するとともに、図１の電子機器ユニット固定スタンド１０Ａと同一の符号を付すことで、この電子機器ユニット固定スタンド１０Ｂのその他の構成の詳細な説明は省略する。
【００９３】
電子機器ユニット固定スタンド１０Ｂは、図１のそれと同様に、サーバやルーター、RAIDストレイジ、ファイアウォール専用機等の電子機器ユニット１１を着脱可能に固定する。電子機器ユニット固定スタンド１０Ｂは、所定面積のベースプレート１２と、一対の取付プレート１３と、ベースプレート１２の上面１４に位置して横方向へスライド可能な複数の支持プレート１５と、それら支持プレート１５をベースプレート１２の所定の位置に固定する第１固定手段１６と、ベースプレート１２の上面１４に位置して前後方向へスライド可能な複数の支持スライダー１７と、それら支持スライダー１７をベースプレート１２の所定の位置に固定する第３固定手段１８と、電子機器ユニット１１をベースプレート１２に固定する結束バンド１９（第２固定手段）と、第１〜第３コイルバネ８０〜８２（第１〜第３伸縮弾性部材）とから形成されている。ベースプレート１２や支持プレート１５、支持スライダー１７、第１および第３固定手段１６，１８、結束バンド１９（第２固定手段）は、図１の電子機器ユニット固定スタンド１０Ａのそれらと同一である。
【００９４】
支持プレート１５の前端部４３の水平摺動部分４７の両側縁には、図１９に示すように、下方へ延出するフック８３が取り付けられている。支持プレート１５の後端部４５の垂直摺動部分４９には、図２０に示すように、横方向へ延出するフック８４が取り付けられている。なお、図示はしていないが、ベースプレート１２の第１案内開口２６に位置する脚部２３には、横方向へ延びるフックが取り付けられ、ベースプレート１２の第２案内開口２７に位置する脚部２３には、横方向へ延びるフックが取り付けられている。
【００９５】
それら第１引張コイルバネ８０（第１伸縮弾性部材）は、第１案内開口２６であって第１固定金具５５の下方に位置して横方向へ延びている。第１引張コイルバネ８０は、その前端が横方向へ隣接する一方の支持プレート１５の前端部４３の水平摺動部分４９に取り付けられたフック８３に係合し、その後端が横方向へ隣接する他方の支持プレート１５の前端部４３の水平摺動部分４９に取り付けられたフック８３に係合することで、それら支持プレート１５の前端部４３に連結されている。ベースプレート１２の脚部２３の側に位置する第１引張コイルバネ８０の後端は、脚部２３に取り付けられたフックに係合している。
【００９６】
それら第２引張コイルバネ８１（第２伸縮弾性部材）は、第２案内開口２７であって支持プレート１５の後端部４５の垂直摺動部分４９の側方に位置して横方向へ延びている。第２引張コイルバネ８１は、その前端が横方向へ隣接する一方の支持プレート１５の後端部４５の垂直摺動部分４９に取り付けられたフック８４に係合し、その後端が横方向へ隣接する他方の支持プレート１５の後端部４５の垂直摺動部分４９に取り付けられたフック８４に係合することで、それら支持プレート１５の後端部４５に連結されている。ベースプレート１２の脚部２３の側に位置する第２引張コイルバネ８１の後端は、脚部２３に取り付けられたフックに係合している。
【００９７】
電子機器ユニット固定スタンド１０Ｂでは、横方向に隣接するそれら支持プレート１５が第１および第２引張コイルバネ８０，８１によって連結されている。第１引張コイルバネ８０のバネ付勢力（付勢力）によってそれら支持プレート１５の前端部４３が横方向へバネ付勢（付勢）され、第２引張コイルバネ８１のバネ付勢力（付勢力）によってそれら支持プレート１５の後端部４５が横方向へバネ付勢（付勢）されている。なお、第１および第２伸縮弾性部材として、引張コイルバネ８０，８１の他に、帯状または紐状のゴムを利用することもできる。
【００９８】
ベースプレート１２の中央であって第３案内開口２８近傍に延びるベースプレート１２には、図２１に示すように、下方へ延出するフック８５が取り付けられ、支持スライダー１７の水平摺動部６１の前端には、下方へ延出するフック８６が取り付けられている。それら第３引張コイルバネ８２（第３伸縮弾性部材）は、第２案内開口２７近傍に延びる第３案内開口２８に位置して前後方向へ延びている。第３引張コイルバネ８２は、その前端が第３案内開口２８近傍に延びるベースプレート１２に取り付けられたフック８５に係合し、その後端が支持スライダー１７の水平摺動部６１の前端に取り付けられたフック８６に係合することで、ベースプレート１２と支持スライダー１７とに連結されている。電子機器ユニット固定スタンド１０Ｂでは、第３引張コイルバネ８２のバネ付勢力（付勢力）によってそれら支持スライダー１７が前後方向前方へバネ付勢（付勢）されている。なお、第３伸縮弾性部材として、引張コイルバネ８２の他に、帯状または紐状のゴムを利用することもできる。
【００９９】
電子機器ユニット固定スタンド１０Ｂにサーバやルーター、RAIDストレイジ、ファイアウォール専用機等の電子機器ユニット１１を固定する手順の一例を説明すると、以下のとおりである。なお、結束バンド１９（第２固定手段）の支持プレート１５の支持部４６や取付プレート１３への取付手順は図１の電子機器ユニット固定スタンド１０Ａのそれと同一であるから、その説明は省略する。第１螺子部材５７を反時計回り方向へ回転させ、ベースプレート１２に対する支持プレート１５の固定を解除し、第２螺子部材６７を反時計回り方向へ回転させ、ベースプレート１２に対する支持スライダー１７の固定を解除した後、第３引張コイルバネ８２の付勢力に抗して支持スライダー１７を第３案内開口２８において前後方向後方へスライド（移動）させ、第１および第２引張コイルバネ８０，８１の付勢力に抗して支持プレート１５を横方向一方と横方向他方とへスライド（移動）させ、横方向に隣接する支持プレート１５を横方向へ離間させる。次に、起立した状態の電子機器ユニット１１をベースプレート１２の上面１４であって横方向へ隣接する支持プレート１５の間に配置し、電子機器ユニット１１の前端部（端部）を支持プレート１５の前端部４３の垂直支持部分４８に当接させる。
【０１００】
電子機器ユニット１１の前端部を支持プレート１５の前端部４３の垂直支持部分４８に当接させた後、電子機器ユニット１１の両側に位置する一方の支持プレート１５を第１および第２引張コイルバネ８０，８１の付勢力によって横方向一方へスライドさせて一方の支持プレート１５を電子機器ユニット１１の一方の側面に当接させ、他方の支持プレート１５を第１および第２引張コイルバネ８０，８１の付勢力によって横方向他方へスライドさせて他方の支持プレート１５を電子機器ユニット１１の他方の側面に当接させる。電子機器ユニット１１の両側に位置するそれら支持プレート１５が第１および第２引張コイルバネ８０，８１の付勢力によって電子機器ユニット１１を押圧状態で挟み込む。
【０１０１】
前後方向後方にスライドさせた支持スライダー１７を第３引張コイルバネ８２の付勢力によって電子機器ユニット１１に向かって前後方向前方へスライドさせ、支持スライダー１７の垂直支持部６２を電子機器ユニット１１の後端部（端部）に当接（密着）させる。それら支持スライダー１７の垂直支持部６２が第３引張コイルバネ８２の付勢力によって電子機器ユニット１１の後端部に押圧状態で当接する。次に、第１螺子部材５７を時計回り方向へ回転させ、第１固定金具５５と支持プレート１５の前端部４３の水平摺動部分４７とでベースプレート１２を挟み込むことで、それら支持プレート１５をベースプレート１２にスライド不能に固定し、第２固定金具６５と支持スライダー１７の水平摺動部６１とでベースプレート１２を挟み込むことで、支持スライダー１７をベースプレート１２にスライド不能に固定する。
【０１０２】
それら支持プレート１５およびそれら支持スライダー１７をベースプレート１２にスライド不能に固定すると、電子機器ユニット１１の両側面が一方の支持プレート１５の第１および第２支持部分５２，５３と他方の支持プレート１５の支持部４６とに挟まれ、電子機器ユニット１１の前後端部が支持プレート１５の前端部４３の垂直支持部分４８と支持スライダー１７の垂直支持部６２とに挟まれ、電子機器ユニット１１が支持プレート１５および支持スライダー１７によって４点で支持され、さらに、結束バンド１９（第２固定手段）によって電子機器ユニット１１のベースプレート１２の上面１４から前後方向や上方への移動（上面１４における遊動）が拘束（阻止）されるから、電子機器ユニット１１がベースプレート１２の上面１４に遊動不能に固定される。
【０１０３】
電子機器ユニット固定スタンド１０Ｂは、電子機器ユニット固定スタンド１０Ａが有する効果に加え、以下の効果を有する。電子機器ユニット固定スタンド１０Ｂは、第１および第２引張コイルバネ８０，８１（第１および第２伸縮弾性部材）の付勢力によってそれら支持プレート１５が電子機器ユニット１１を押圧状態で挟み込むから、それら支持プレート１５を電子機器ユニット１１の両側面に密着させることができ、その状態でそれら支持プレート１５を第１固定手段１６を介してベースプレート１２に固定することができ、電子機器ユニット１１と支持プレート１５との間に隙間が生ずることがなく、支持プレート１５を利用して電子機器ユニット１１をベースプレート１２に確実に固定することができる。
【０１０４】
電子機器ユニット固定スタンド１０Ｂは、第３引張コイルバネ８２（第３伸縮弾性部材）の付勢力によってそれら支持スライダー１７の垂直支持部６２が電子機器ユニット１１の後端部（端部）に押圧状態で当接するから、それら支持スライダー１７の垂直支持部６２を電子機器ユニット１１の後端部に密着させることができ、その状態でそれら支持スライダー１７を第３固定手段１８を介してベースプレート１２に固定することができ、電子機器ユニット１１と支持スライダー１７との間に隙間が生ずることがなく、支持スライダー１７を利用して電子機器ユニット１１をベースプレート１２に確実に固定することができる。
【０１０５】
図２２は、他の一例として示す電子機器ユニット固定スタンド１０Ｃの斜視図であり、図２３は、図２２の電子機器ユニット固定スタンド１０Ｃの上面図である。図２２では、電線ケーブル２４の図示を省略している。図２２では、横方向を矢印Ｘ、前後方向を矢印Ｙで示し、上下方向を矢印Ｚで示す。図２２では、ベースプレート１２の上面１４に固定された電子機器ユニット１１を１台のみ図示しているが、実際には、横方向へ並ぶ複数台の電子機器ユニット１１がベースプレート１２の上面１４に着脱可能に固定される。
【０１０６】
電子機器ユニット固定スタンド１０Ｃが図１のそれと異なるところは、ベースプレート１２の面積が図１の電子機器ユニット固定スタンド１０Ａのそれよりも小さく、電子機器ユニット固定スタンド１０Ａよりも少ない支持プレート１５や支持スライダー１７が設置されている点、取付プレート１３が設置されていない点にある。電子機器ユニット固定スタンド１０Ｃのその他の構成は図１の電子機器ユニット固定スタンド１０Ａのそれらと同一であるから、図１の電子機器ユニット固定スタンド１０Ａの説明を援用するとともに、図１の電子機器ユニット固定スタンド１０Ａと同一の符号を付すことで、この電子機器ユニット固定スタンド１０Ｃのその他の構成の詳細な説明は省略する。
【０１０７】
電子機器ユニット固定スタンド１０Ｃは、図１のそれと同様に、サーバやルーター、RAIDストレイジ、ファイアウォール専用機等の電子機器ユニット１１を着脱可能に固定する。電子機器ユニット固定スタンド１０Ｃは、所定面積のベースプレート１２と、ベースプレート１２の上面１４に位置して横方向へスライド可能な複数の支持プレート１５と、それら支持プレート１５をベースプレート１２の所定の位置に固定する第１固定手段１６と、ベースプレート１２の上面１４に位置して前後方向へスライド可能な複数の支持スライダー１７と、それら支持スライダー１７をベースプレート１２の所定の位置に固定する第２固定手段１８と、電子機器ユニット１１をベースプレート１２に固定する結束バンド１９（第２固定手段）とから形成されている。支持プレート１５や支持スライダー１７、第１および第３固定手段１６，１８、結束バンド１９（第２固定手段）は、図１の電子機器ユニット固定スタンド１０Ａのそれらと同一である。
【０１０８】
ベースプレート１２は、その面積が図１の電子機器ユニット固定スタンド１０Ａのそれよりも小さく、平面形状が前後方向へ長い四角形の板状に成形されている。ベースプレート１２は、横方向へ延びる前後端部２０，２１と、前後方向へ延びる両側部２２とを有する。ベースプレート１２の前後端部２０，２１および両側部２２には、上下方向へ延びる脚部２３が連接されている。
【０１０９】
ベースプレート１２には、横方向へ直状に延びる第１案内開口２６と、横方向へ直状に延びる第２案内開口２７と、前後方向へ直状に延びる複数の第３案内開口２８と、横方向へ直状に延びる複数の第１通気開口２９と、前後方向へ直状に延びる複数の第２通気開口３０とが穿孔されている。ベースプレート１２の第２案内開口２７を囲繞する端縁３１（第１案内開口２６の側に延びる端縁３１）には、第２案内開口２７に位置して上下方向へ延びる垂直部３２が連接されている。
【０１１０】
第１〜第３案内開口２６〜２８は、図１の電子機器ユニット固定スタンド１０Ａのそれらと同一であるが、その長さ寸法が電子機器ユニット固定スタンド１０Ａのそれよりも短い。第１および第２通気開口２９，３０は、図１の電子機器ユニット固定スタンド１０Ａのそれらと同一であるが、その長さ寸法が電子機器ユニット固定スタンド１０Ａのそれよりも短く、その数が電子機器ユニット固定スタンド１０Ａのそれよりも少ない。
【０１１１】
電子機器ユニット固定スタンド１０Ｃは、図１９の電子機器ユニット固定スタンド１０Ｂと同様に、第１案内開口２６であって第１固定金具５５の下方に位置して横方向へ延びる第１引張コイルバネ８０（第１伸縮弾性部材）と、第２案内開口２７であって支持プレート１５の後端部４５の垂直摺動部分４９の側方に位置して横方向へ延びる第２引張コイルバネ８１（第２伸縮弾性部材）と、第２案内開口２７近傍に延びる第３案内開口２８に位置して前後方向へ延びる第３引張コイルバネ８２（第３伸縮弾性部材）とを備えていてもよい。電子機器ユニット固定スタンド１０Ｃにサーバやルーター、RAIDストレイジ、ファイアウォール専用機等の電子機器ユニット１１を固定する手順は、電子機器ユニット固定スタンド１０Ａのそれと同一であり、結束バンド１９の支持プレート１５の支持部４６への取付手順は、図１の電子機器ユニット固定スタンド１０Ａのそれと同一である。
【０１１２】
複数の電子機器ユニット１１をベースプレート１２の上面１４に固定した後、電子機器ユニット固定スタンド１０Ｃを机や棚に載置し、それら電子機器ユニット１１の電源ケーブル２４を電源に接続してそれら電子機器ユニット１１を起動させる。電子機器ユニット１１を起動させると、電子機器ユニット１１が自己発熱し、電子機器ユニット１１の温度が上昇するが、ベースプレート１２に穿孔された第１〜第３案内開口２６〜２８や第１および第２通気開口２９，３０を空気が通流するとともに、支持プレート１５の支持部４６と電子機器ユニット１１の側面との間の間隙を空気が通流し、空気によってそれら電子機器ユニット１１が冷却される。
【０１１３】
電子機器ユニット固定スタンド１０Ｃは、それら支持プレート１５の間に電子機器ユニット１１を配置しつつそれら支持プレート１５を横方向へスライドさせてそれら支持プレート１５で電子機器ユニット１１の両側面を挟み込み、電子機器ユニット１１を挟み込んだそれら支持プレート１５を第１固定手段１６を介してベースプレート１２に固定し、支持スライダー１７を電子機器ユニット１１に向かって前後方向前方へスライドさせて支持スライダー１７を電子機器ユニット１１の後端部に当接させ、電子機器ユニット１１の後端部に当接した支持スライダー１７を第３固定手段１８を介してベースプレート１２に固定するとともに、結束バンド１９（第２固定手段）を電子機器ユニット１１の頂部７７を跨がせた状態で一方の支持プレート１５から他方の支持プレート１５に向かって架け渡し、それら支持プレート１５と支持スライダー１７と結束バンド１９とを利用して電子機器ユニット１１をベースプレート１２に固定するから、ベースプレート１２に対する電子機器ユニット１１の固定が不用意に解除されることはなく、それら支持プレートやそれら支持スライダー１７、それら結束バンド１９を利用して電子機器ユニット１１をベースプレート１２に確実に固定することができ、一度に複数の電子機器ユニット１１を保持することができる。
【０１１４】
電子機器ユニット固定スタンド１０Ｃは、それら支持プレート１５がベースプレート１２の横方向へスライド可能であり、それら支持スライダー１７がベースプレート１２の前後方向へスライド可能であるから、ベースプレート１２に固定する電子機器ユニット１１の横方向の長さ寸法にあわせてそれら支持プレート１５を電子機器ユニット１１の両側に配置することができ、電子機器ユニット１５の前後方向の長さ寸法にあわせて支持スライダー１７を電子機器ユニット１１の端部に当接させることができ、支持プレート１５および支持スライダー１７を利用して各種複数の大きさが異なる電子機器ユニット１１をベースプレート１２に確実に固定することができる。
【０１１５】
電子機器ユニット固定スタンド１０Ｃは、ベースプレート１２の第１〜第３案内開口２６〜２８やベースプレート１１に穿孔された複数の第１通気開口２９と複数の第２通気開口３０とを空気が通流するとともに、支持プレート１５の支持部４６と電子機器ユニット１１の側面との間の間隙を空気が通流することで、自己発熱する電子機器ユニット１１の熱を効率よく逃がすことができ、それら電子機器ユニット１１を冷却することができる。
【符号の説明】
【０１１６】
１０Ａ  電子機器ユニット固定スタンド
１０Ｂ  電子機器ユニット固定スタンド
１０Ｃ  電子機器ユニット固定スタンド
１１    電子機器ユニット
１２    ベースプレート
１３    取付プレート
１４    上面
１５    支持プレート
１６    第１固定手段
１７    支持スライダー
１８    第３固定手段
１９    結束バンド（第２固定手段）
２０    前端部
２１    後端部
２２    両側部
２３    脚部
２４    電線ケーブル
２５    フック
２６    第１案内開口
２７    第２案内開口
２８    第３案内開口
２９    第１通気開口
３０    第２通気開口
３１    端縁
３２    垂直部
３３    挿脱孔
３４    電子機器収容専用ラック
３５    上端縁
３６    下端縁
３７    前端縁
３８    連結孔（連結箇所）
３９    螺子部材
４０    取付フランジ
４１    固定ボルト
４２    ボルト孔
４３    前端部
４４    中間部
４５    後端部
４６    支持部
４７    水平摺動部分
４８    垂直支持部分
４９    垂直摺動部分
５０    水平摺動部分
５１    クッションゴム
５２    第１支持部分
５３    第２支持部分
５４    連結孔（連結箇所）
５５    第１固定金具
５６    螺着孔
５７    第１螺子部材
５８    凸条
５９    挿入孔
６０    挿入孔
６１    水平摺動部
６２    垂直支持部
６３    挿入孔
６４    挿入孔
６５    第２固定金具
６６    螺着孔
６７    第２螺子部材
６８    下面
６９    凸条
７０    棚板
７１    縦支柱
７２    伸縮弾性スペーサ
７３    当接板
７４    圧縮コイルバネ
７５    ストラップ（ベルト部）
７６    ストラップロック（ロック部）
７７    頂部
７８    設置孔（設置箇所）
７９    固定マウント（ヤジリ部）
８０    第１引張コイルバネ（第１伸縮弾性部材）
８１    第２引張コイルバネ（第２伸縮弾性部材）
８２    第３引張コイルバネ（第３伸縮弾性部材）
８３    フック
８４    フック
８５    フック
８６    フック
【図１】
2018098418.tif 000003
【図２】
2018098418.tif 000004
【図３】
2018098418.tif 000005
【図４】
2018098418.tif 000006
【図５】
2018098418.tif 000007
【図６】
2018098418.tif 000008
【図７】
2018098418.tif 000009
【図８】
2018098418.tif 000010
【図９】
2018098418.tif 000011
【図１０】
2018098418.tif 000012
【図１１】
2018098418.tif 000013
【図１２】
2018098418.tif 000014
【図１３】
2018098418.tif 000015
【図１４】
2018098418.tif 000016
【図１５】
2018098418.tif 000017
【図１６】
2018098418.tif 000018
【図１７】
2018098418.tif 000019
【図１８】
2018098418.tif 000020
【図１９】
2018098418.tif 000021
【図２０】
2018098418.tif 000022
【図２１】
2018098418.tif 000023
【図２２】
2018098418.tif 000024
【図２３】
2018098418.tif 000025